(57)【要約】 【課題】  ゴミ箱の設置が大がかりでなく且つ高コストにならず、また、如何なる路面条件であったとしても転倒することなく見栄え良く設置でき、更に、既設の自動販売機にも比較的簡単に設置できる自動販売機ヘのゴミ箱設置構造を提供すること。【解決手段】  自動販売機８の底面８１、側面８０、上面８２又は背面８３にネジ止めされる取付部１と、前記取付部１に設けられ且つ自動販売機８の側面近傍に配置される保持部２とから成り、前記保持部２にゴミ箱９を保持させる態様で、自動販売機８の側方にゴミ箱９を設置する。保持部２は枠形状に形成されたものであり、ゴミ箱９はこれの胴部が保持部２の枠内に挿通される態様で保持される。また、取付部１に対して保持部２は着脱自在である。【選択図面】  図３
2006011915.tif 000002
【特許請求の範囲】
【請求項１】
自動販売機の底面、側面、上面又は背面にネジ止めされる取付部と、前記取付部に設けられ且つ自動販売機の側面近傍に配置される保持部とから成り、前記保持部にゴミ箱を保持させる態様で、自動販売機の側方にゴミ箱を設置することを特徴とする自動販売機へのゴミ箱設置構造。
【請求項２】
保持部は枠形状に形成されたものであり、ゴミ箱はこれの胴部が保持部の枠内に挿通される態様で保持されることを特徴とする請求項１記載の自動販売機へのゴミ箱設置構造。
【請求項３】
取付部に対して保持部は着脱自在であることを特徴とする請求項１又は２記載の自動販売機へのゴミ箱設置構造。
【請求項４】
自動販売機の側面に蟻溝を設けるべく蟻溝形成部材をネジ止めし、ゴミ箱に蟻柄を設け、前記蟻柄を蟻溝に挿入する態様で、自動販売機の側方にゴミ箱を設置することを特徴とする自動販売機へのゴミ箱設置構造。
【発明の詳細な説明】
【技術分野】
【０００１】
この発明は、清涼飲料水、酒類、お菓子等の自動販売機に関し、特に自動販売機へのゴミ箱設置構造に関するものである。
【背景技術】
【０００２】
自動販売機は、大部分の販売物が時間に関係なく購入できることから、老若男女を問わず、その利用者は非常に多い。近年は国外、首都圏内・外を問わずあらゆる所に設置されており、設置台数は国内だけでも５００万台以上と言われている。
【０００３】
このように、自動販売機は、その便利さから非常に人気があるが、その反面、自動販売機の存在自体を疑問視する声も聞かれる。その理由は、以下の（１）（２）に示すようなことが多い。
（１）自動販売機の設置場所が必ずしも平面上の安定した場所であるわけではなく、このためゴミ箱が設置されていない場合がある。このような場合、販売対象が飲料水である場合には、空き缶や空になったペットボトルがその周辺に置かれたり、投げ捨てられたりするため、近所からの苦情も非常に多い。
（２）強風や地震等により簡単にゴミ箱が転倒して、その内部のゴミが近辺に散乱し、自動販売機付近だけでなく、かなり離れた場所までもゴミが散乱することがある。
【０００４】
そこで、企業側としても上記問題を解決するため、自動販売機内にゴミ箱を有するものを提案している（例えば、特許文献１。）が、この形態では自動販売機の構造が大がかりになると共に高コストとなるので、その設置台数や設置場所は限られていた。
【０００５】
また、既設の自動販売機に新たにゴミ箱を不用意に転倒しないように取り付けることは困難であり、たとえできたとしても見栄えが悪いものにならざるを得なかった。
【０００６】
したがって、自動販売機を取り扱う業界では、ゴミ箱の設置が大がかりでなく且つ、高コストにならず、また、如何なる路面条件であったとしても転倒することなく設置でき、更に、既設の自動販売機にも比較的簡単に設置できる自動販売機へのゴミ箱の設置構造が開発されることを待ち望んでいる。
【特許文献１】特開２００１−１０７５８７号
【発明の開示】
【発明が解決しようとする課題】
【０００７】
そこでこの発明では、ゴミ箱の設置が大がかりでなく且つ高コストにならず、また、如何なる路面条件であったとしても転倒することなく見栄え良く設置でき、更に、既設の自動販売機にも比較的簡単に設置できる自動販売機へのゴミ箱設置構造を提供することを課題とする。
【課題を解決するための手段】
【０００８】
（請求項１記載の発明）
この発明の自動販売機へのゴミ箱設置構造は、自動販売機の底面、側面、上面又は背面にネジ止めされる取付部と、前記取付部に設けられ且つ自動販売機の側面近傍に配置される保持部とから成り、前記保持部にゴミ箱を保持させる態様で、自動販売機の側方にゴミ箱を設置する。
（請求項２記載の発明）
この発明の自動販売機へのゴミ箱設置構造は、上記請求項１記載の発明に関し、保持部は枠形状に形成されたものであり、ゴミ箱はこれの胴部が保持部の枠内に挿通される態様で保持される。
（請求項３記載の発明）
この発明の自動販売機へのゴミ箱設置構造は、上記請求項１又は２記載の発明に関し、取付部に対して保持部は着脱自在である。
（請求項４記載の発明）
この発明の自動販売機へのゴミ箱設置構造は、自動販売機の側面に蟻溝を設けるべく蟻溝形成部材をネジ止めし、ゴミ箱に蟻柄を設け、前記蟻柄を蟻溝に挿入する態様で、自動販売機の側方にゴミ箱を配置させている。
【発明の効果】
【０００９】
この発明の自動販売機へのゴミ箱設置構造によると、ゴミ箱の設置が大がかりでなく且つ高コストにならず、また、如何なる路面条件であったとしても転倒することなく簡単に設置でき、更に、既設の自動販売機にも比較的簡単に設置できる。
【発明を実施するための最良の形態】
【００１０】
以下にこの発明の自動販売機へのゴミ箱設置構造を実施するための最良の形態としての実施例について詳細に説明する。
【実施例１】
【００１１】
図１はこの発明の実施例１の自動販売機８へのゴミ箱設置構造を示す斜視図、図２は前記ゴミ箱設置構造を実現するためのゴミ箱保持具Ｓの斜視図、図３はゴミ箱保持具Ｓにゴミ箱９を保持させた状態を示す正面図、図４はゴミ箱保持具Ｓを構成する取付部１の自動販売機８へのネジ止め構造の断面図を示している。
（自動販売機８の路面Ｒへの設置について）
自動販売機８は一般的に、図１に示すように、下面四隅に垂設させた脚部８ａを介して路面Ｒに設置されており、当該自動販売機８の下側には空間が存在している。
（自動販売機８用のゴミ箱保持具Ｓについて）
この構造に用いられるゴミ箱保持具Ｓは、図１や図２に示すように、自動販売機８の底面８１にボルト止め（ネジ止め）される取付部１と、前記取付部１の上端部に設けられた保持部２とから構成されており、前記保持部２にゴミ箱９を吊り下げる態様で、自動販売機８の側方にゴミ箱９は設置される。
【００１２】
取付部１は、図１〜図３に示すように、自動販売機８の底面８１と対面する第１板部材１０と、自動販売機８の側面８０と対面する第２板部材１１とから構成されたＬ字状の鋼製のものであり、前記第１板部材１０には、二つのボルト挿通孔１２を設けて成る。
【００１３】
保持部２は、図１〜図３に示すように、長方形状の枠体により構成された鋼製のものであり、前記枠体内の縦横寸法はこれにより保持されるゴミ箱９の胴部よりも少しだけ大きめに設定してある。
【００１４】
ここで、このゴミ箱保持具Ｓは、図１や図３に示す如く、取付部１が自動販売機８の底面８１及び側面８０にボトル止めされた状態において、保持部２は水平姿勢となるように構成してある。
（自動販売機８へのゴミ箱保持具Ｓの取り付けについて）
(1) 事前の作業として、第１板部材１０のボルト挿通孔１２，１２と対応する自動販売機８の底側壁部分にボルト挿通孔８５を穿設する。また、ボルト挿通孔１２，１２と対応するボルト挿通孔４０，４０を有する当て板４を用意しておく。
(2) ボルトＢの雄ネジ部を、図４に示すように、取付部１のボルト挿通孔１２、自動販売機８の底壁部分のボルト挿通孔８５及び当て板４のボルト挿通孔４０に挿通し、前記当て板４のボルト挿通孔４０から突出したボルトＢの雄ネジ部にナットＮを螺入し、締め込む。
(3) これによりゴミ箱保持具Ｓは図３に示すように、自動販売機８の側面に強固に取り付けられることになる。
（ゴミ箱９の構造と、このゴミ箱９をゴミ箱保持具Ｓで保持する構造について）
ゴミ箱９は、図３に示すように、ゴミ箱本体９０と、ゴミ投棄用孔ｈ（空き缶やペットボトル等のゴミを投入するための孔）を有する蓋体９１とから成るものであり、両者は共に開放部を構成する外壁部分に外側に張り出す鍔部９０ａ，９１ａを具備している。なお、このゴミ箱９では、ゴミ箱本体９０の胴部が上記ゴミ箱保持具Ｓの保持部２の枠体内を通過できる寸法になっているが、鍔部９０ａ，９１ａ部分は通過できない寸法となっている。
【００１５】
上記ゴミ箱９をゴミ箱保持具Ｓで保持させる場合、保持部２を構成する枠体内にゴミ箱９を落とし込む。すると、ゴミ箱９は、これの鍔部９０ａ，９１ａが枠体上面と係止状態となり、保持部２に吊り下げられた状態となる。つまり、図１に示すように、ゴミ箱９は自動販売機８の側方に設置される。
（この自動販売機８へのゴミ箱設置構造を使用した場合の優れた効果について）
(1) このゴミ箱設置構造では、図１に示すように、取付部１と保持部２とから成る簡単な構造のゴミ箱保持具Ｓを自動販売機８にボルト止めし、前記保持部２にゴミ箱９を吊り下げるだけものであるから、自動販売機８の側方にゴミ箱９を簡単に設置できる。つまり、この構造によると大がかりでなく、高コストにならず、見栄えよくゴミ箱９を設置できる。
(2) 図３に示す如く設置される路面Ｒの条件等が悪くても、ゴミ箱９は保持部３に吊り下げられる態様で保持されるので、自動販売機８が適正に設置できる限りにおいては、ゴミ箱９を自動販売機８の側方において適正に設置される。また、強風時や地震時においても、自動販売機８が転倒しない限りゴミ箱９が転倒するようなことがない。
(3) （ゴミ箱９の構造と、このゴミ箱９をゴミ箱保持具Ｓで保持する構造について）の欄に記載したように、既設の自動販売機８にも設置できる。
（類似する形態のゴミ箱９の設置構造について）
図５は上記実施の形態に類似する自動販売機８へのゴミ箱９の設置構造の斜視図を示している。
【００１６】
このゴミ箱９の設置構造に使用されるゴミ箱保持具Ｓは、図５に示すように、第１板部材１０と第２板部材１１から成るＬ字状の取付部１が自動販売機８の上面にボルトＢで止着される態様で、自動販売機８の上面８２から側面８０にかけて配置され、保持部２が第２板部材１１の最下部に設けられている。そして、ゴミ箱９はこれの鍔部９０ａ，９１ａが保持部２の枠体上面と係止状態となり、保持部２に吊り下げられた状態で設置される。
【００１７】
図６は上記実施の形態に類似する自動販売機８へのゴミ箱９の設置構造の斜視図を示している。
【００１８】
このゴミ箱９の設置構造に使用されるゴミ箱保持具Ｓは、図６に示すように、第１板部材１０と第２板部材１１から成るＬ字状の取付部１が自動販売機８の背面８３にボルトＢで止着される態様で、自動販売機８の背面８３から側面８０にかけて配置され、保持部２が第２板部材１１の最前部に設けられている。そして、ゴミ箱９はこれの鍔部９０ａ，９１ａが保持部２の枠体上面と係止状態となり、保持部２に吊り下げられた状態で設置されている。
【００１９】
図７は上記実施の形態に類似する自動販売機８へのゴミ箱９の設置構造の斜視図を示している。
【００２０】
このゴミ箱９の設置構造に使用されるゴミ箱保持具Ｓは、図７に示すように、取付部１が自動販売機８の側面８０にボルトＢで止められ、保持部２が前記取付部１に着脱自在に設けられている。取付部１は、図７に示すように、側面８０にボルトＢで止められた状態において、側面８０と取付部１との間に挿入口１９が形成されるような断面形状としてあり、一方、保持部２には前記挿入口１９に挿脱自在に嵌め込まれる挿入部２９を具備させてある。したがって、挿入部２９が同じで且つ保持部２の枠形状の大きさや形状が相違するものを用意しておけば、大きさの相違するゴミ箱９を設置できることになる。
【実施例２】
【００２１】
図８はこの発明の実施例２の自動販売機８へのゴミ箱設置構造を示す正面図を示している。
【００２２】
この実施例２の自動販売機８へのゴミ箱９の設置構造は、自動販売機８の底面８１、側面８０、上面８２又は背面８３に取付部１がボルト止めされるという点では全く同じであるが、保持部２によるゴミ箱９の保持態様が全く相違している。
【００２３】
この保持部２によるゴミ箱９の保持態様は、図７に示すように吊り下げるのではなく、ゴミ箱９の胴部を枠形状の保持部２に隙間を大きくあけることなく挿通させる態様で設置させ、水平方向のゴミ箱９の移動を規制するようにして当該ゴミ箱９の転倒を防止している。
【００２４】
したがって、実施例１の（この自動販売機８へのゴミ箱設置構造を使用した場合の優れた効果について）の欄に記載した内容と同等の効果を奏することが明らかである。
（類似する形態のゴミ箱９の設置構造について）
図９は上記実施の形態に類似する自動販売機８へのゴミ箱９の設置構造の正面図を示している。
【００２５】
このゴミ箱９の設置構造に使用されるゴミ箱保持具Ｓは、水平方向のゴミ箱９の移動を規制するようにして当該ゴミ箱９の転倒を防止しているという点においては上記実施の形態と同じである。相違する点は、ゴミ箱９を載せ置く載置部３を設けた点のみである。
【実施例３】
【００２６】
図１０はこの発明の実施例３の自動販売機８へのゴミ箱設置構造を示す斜視図を示している。
【００２７】
この実施例３の自動販売機８へのゴミ箱９の設置構造は、図１０に示すように、自動販売機９の側方に、一方に開放口５１を有する蟻溝５０を設けるべく蟻溝形成部材５をネジ止めし、他方、ゴミ箱９に蟻柄９３を設け、前記蟻柄９３を開放口５１から蟻溝５０に挿入する態様で、自動販売機８の側方にゴミ箱９を設置するようにしている。
【００２８】
この蟻溝形成部材５は、自動販売機９の側面８０との関係で蟻溝が形成されるものであるが、これに限定されることなく、単独で蟻溝が形成されるものでもよい。
【００２９】
したがって、実施例１の（この自動販売機８へのゴミ箱設置構造を使用した場合の優れた効果について）の欄に記載した内容と同等の効果を奏することが明らかである。
【図面の簡単な説明】
【００３０】
【図１】この発明の実施例１の自動販売機へのゴミ箱設置構造を示す斜視図。
【図２】前記ゴミ箱設置構造を実現するためのゴミ箱保持具の斜視図。
【図３】前記ゴミ箱保持具にゴミ箱を保持させた状態を示す正面図。
【図４】前記ゴミ箱保持具を構成する取付部の自動販売機へのネジ止め構造の断面図。
【図５】図１と類似する自動販売機へのゴミ箱の設置構造の斜視図。
【図６】図１と類似する自動販売機へのゴミ箱の設置構造の斜視図。
【図７】図１と類似する自動販売機へのゴミ箱の設置構造の斜視図。
【図８】この発明の実施例２の自動販売機へのゴミ箱設置構造を示す正面図。
【図９】図８と類似する自動販売機へのゴミ箱の設置構造の正面図。
【図１０】この発明の実施例３の自動販売機へのゴミ箱設置構造を示す斜視図。
【符号の説明】
【００３１】
Ｓ        ゴミ箱保持具
１        取付部
１ａ      第１板部材
１ｂ      第２板部材
２        保持部
８        自動販売機
９        ゴミ箱
【図１】
2006011915.tif 000003
【図２】
2006011915.tif 000004
【図３】
2006011915.tif 000005
【図４】
2006011915.tif 000006
【図５】
2006011915.tif 000007
【図６】
2006011915.tif 000008
【図７】
2006011915.tif 000009
【図８】
2006011915.tif 000010
【図９】
2006011915.tif 000011
【図１０】
2006011915.tif 000012